(57)【特許請求の範囲】
【請求項１】
着用者の少なくとも鼻および口を覆うマスク本体部と、着用者の耳に掛けられるとともに伸長性を備える耳掛け部と、を有するマスクであって、
前記マスクは、前記マスクが着用者に着用された場合における鼻と口とにより規定される直線を上下方向、前記マスクが着用者に着用された場合における顔と後頭部とにより規定される直線を前後方向と定義し、
前記上下方向は、前記マスクが着用者に着用された場合における口から鼻へと向かう方向を上側、鼻から口へと向かう方向を下側と定義し、
前記前後方向は、前記マスクが着用者に着用された場合における後頭部から顔へと向かう方向を前側、顔から後頭部へと向かう方向を後側と定義し、
前記耳掛け部は、前記マスク本体部の上側領域から延在する上側延在部と、前記マスク本体部の下側領域から延在する下側延在部と、前記上側延在部と前記下側延在部とを連結する連結部と、を有し、
さらに、前記耳掛け部は、前記上側延在部の内縁部と、前記下側延在部の内縁部と、前記連結部の内縁部とに囲まれた空間により形成される耳掛け空間部を有し、
前記上側延在部は、前記マスクが着用者に着用された場合において耳の上側領域に当接される耳上側当接領域を有し、
前記下側延在部は、前記マスクが着用者に着用された場合において耳の後側領域に当接される耳後側当接領域を有し、
前記耳上側当接領域は、前記耳後側当接領域よりも前記前後方向における伸長率の低い耳上側低伸長領域を構成し、
前記上側延在部の内縁部の延在方向と、前記上側延在部の外縁部の延在方向は平行となるよう構成されることを特徴とするマスク。
【請求項２】
請求項１に記載されたマスクであって、
前記耳上側当接領域は、前記耳上側当接領域の所定点における幅の長さが、前記耳後側当接領域の所定点における幅の長さよりも長く構成された上側延在部長距離領域を有することを特徴とするマスク。
【請求項３】
請求項１または２に記載されたマスクであって、
前記耳後側当接領域は、前記耳上側当接領域よりも前記前後方向における伸長率の高い耳後側高伸長領域を構成することを特徴とするマスク。
【請求項４】
請求項１〜３のいずれか１項に記載されたマスクであって、
前記耳後側当接領域は、前記耳後側当接領域の所定点における幅の長さが、前記耳上側当接領域における幅の長さよりも短く構成された下側延在部短距離領域を有することを特徴とするマスク。
【請求項５】
請求項１〜４のいずれか１項に記載されたマスクであって、
前記上側延在部は、前記上側から下側へ臨んだ場合における前記上側延在部の延在方向と前記上下方向とが交差することにより形成される角度が、前記上側から前記下側へ臨んだ場合における前記下側延在部の延在方向と前記上下方向が交差することにより形成される角度よりも大きく構成された上側延在部大角度部を構成することを特徴とするマスク。
【請求項６】
請求項１〜５のいずれか１項に記載されたマスクであって、
前記下側延在部は、前記マスク本体部側に位置する下側延在部第１領域と、前記連結部側に位置する下側延在部第２領域と、を有し、
前記耳後側当接領域は、前記下側延在部第２領域に構成されることを特徴とするマスク。
【請求項７】
請求項６に記載されたマスクであって、
前記下側延在部第１領域の内縁部の延在方向と、前記下側延在部第１領域の外縁部の延在方向は平行となるよう構成されることを特徴とするマスク。
【請求項８】
請求項６または７に記載されたマスクであって、
前記下側延在部第２領域の内縁部の延在方向と、前記下側延在部第２領域の外縁部の延在方向は平行となるよう構成されることを特徴とするマスク。
【請求項９】
請求項６〜８のいずれか１項に記載されたマスクであって、
前記下側延在部第１領域の内縁部の延在方向と、前記下側延在部第１領域の外縁部の延在方向と、前記下側延在部第２領域の内縁部の延在方向と、前記下側延在部第２領域の外縁部の延在方向は平行となるよう構成されることを特徴とするマスク。
【請求項１０】
請求項６〜９のいずれか１項に記載されたマスクであって、
前記下側延在部第２領域は、前記下側延在部第１領域よりも前記前後方向における伸長率の高い下側延在部第２領域高伸長領域を構成することを特徴とするマスク。
【請求項１１】
請求項６〜１０のいずれか１項に記載されたマスクであって、
前記下側延在部第２領域は、前記下側延在部第２領域の所定点における幅の長さが、前記下側延在部第１領域の所定点における幅の長さよりも短く構成された下側延在部第２領域短距離領域を有することを特徴とするマスク。
【請求項１２】
着用者の少なくとも鼻および口を覆うマスク本体部と、着用者の耳に掛けられるとともに伸長性を備える耳掛け部と、を有するマスクであって、
前記マスクは、前記マスクが着用者に着用された場合における鼻と口とにより規定される直線を上下方向と定義し、
前記上下方向は、前記マスクが着用者に着用された場合における口から鼻へと向かう方向を上側、鼻から口へと向かう方向を下側と定義し、
前記耳掛け部は、前記マスク本体部の上側領域から延在する上側延在部と、前記マスク本体部の下側領域から延在する下側延在部と、前記上側延在部と下側延在部とを連結する連結部と、を有し、
さらに、前記耳掛け部は、前記上側延在部の内縁部と、前記下側延在部の内縁部と、前記連結部の内縁部とに囲まれた空間により形成される耳掛け空間部を有し、
前記上側延在部は、前記上側延在部の所定点における幅の長さが、前記下側延在部の所定点における幅の長さよりも長く構成された上側延在部長距離領域を有し、
前記上側延在部の内縁部の延在方向と、前記上側延在部の外縁部の延在方向は平行となるよう構成されることを特徴とするマスク。
【請求項１３】
着用者の少なくとも鼻および口を覆うマスク本体部と、着用者の耳に掛けられるとともに伸長性を備える耳掛け部と、を有するマスクであって、
前記マスクは、前記マスクが着用者に着用された場合における鼻と口とにより規定される直線を上下方向と定義し、
前記上下方向は、前記マスクが着用者に着用された場合における口から鼻へと向かう方向を上側、鼻から口へと向かう方向を下側と定義し、
前記耳掛け部は、前記マスク本体部の上側領域から延在する上側延在部と、前記マスク本体部の下側領域から延在する下側延在部と、前記上側延在部と下側延在部とを連結する連結部と、を有し、
さらに、前記耳掛け部は、前記上側延在部の内縁部と、前記下側延在部の内縁部と、前記連結部の内縁部とに囲まれた空間により形成される耳掛け空間部を有し、
前記下側延在部は、前記マスク本体部側に位置する下側延在部第１領域と、前記連結部側に位置する下側延在部第２領域と、を有し、
前記下側延在部第２領域は、前記下側延在部第２領域の所定点における幅の長さが、前記下側延在部第１領域の所定点における幅の長さよりも短く構成された下側延在部短距離領域を有し、
前記上側延在部の内縁部の延在方向と、前記上側延在部の外縁部の延在方向は平行となるよう構成されることを特徴とするマスク。
【請求項１４】
請求項１〜１３のいずれか１項に記載されたマスクであって、
前記マスクは、前記マスクが着用者に着用された場合における左耳と右耳とにより規定される直線を左右方向と定義し、
前記左右方向は、前記マスクが着用者に着用された場合における右耳から左耳へと向かう方向を左側、左耳から右耳へと向かう方向を右側と定義し、
前記耳掛け部は、前記マスク本体部の左側に設けられる左側耳掛け部と、前記マスク本体部の右側に設けられる右側耳掛け部とにより構成されることを特徴とするマスク。
【請求項１５】
請求項１〜１４のいずれか１項に記載されたマスクであって、
前記マスク本体部は、前記マスクが着用者に着用された場合において、前記マスク本体部と着用者の口とを離間させるための離間空間部を構成することを特徴とするマスク。
【請求項１６】
請求項１５に記載されたマスクであって、
前記マスク本体部は、複数のシート状部材と、前記複数のシート状部材同士を接合する接合部とを有し、
着用者によって、前記接合部を中心として前記複数のシート状部材が展開されることにより前記離間空間部を形成するよう構成されることを特徴とするマスク。
【請求項１７】
請求項１〜１６のいずれか１項に記載されたマスクであって、
前記マスク本体部は、シート状部材を前記上下方向において折り返すことにより構成された襞部を有し、
前記襞部は、着用者によって前記上下方向に展開可能に構成されていることを特徴とするマスク。
【発明の詳細な説明】
【技術分野】
【０００１】
本発明は、着用者の口および鼻を覆うマスクに関する。
【背景技術】
【０００２】
特開２００８−１９１号公報には、着用者の口および鼻を覆う覆い部と、当該覆い部の外側縁からそれぞれ延出した一対の耳掛け部を備えるマスクが開示されている。当該マスクの耳掛け部は、弾性繊維を含む伸長性を有するシート材に細長い形状の切り欠き穴を形成することにより構成されており、上側延在部と、下側延在部と、覆い部と接合される覆い部接合部と、当該覆い部接合部の反対側において上側延在部と下側延在部とを連結する上下連結部とを有する。上側延在部と下側延在部は、覆い部接合部から上下連結領域を臨んだ場合に下側から上側へ向かい延在するよう構成されている。また、上側延在部の幅と下側延在部の幅は同一となるよう構成されている。
当該マスクは上述の構成を有することにより、他人に対する病気の伝播や、着用者に対するインフルエンザウィルスや花粉の侵入を抑制することが可能である。
【先行技術文献】
【特許文献】
【０００３】
【特許文献１】特開２００８−１９１号公報
【発明の概要】
【発明が解決しようとする課題】
【０００４】
マスクを着用する場合、着用者はまず覆い部により口と鼻を被覆し、その後に耳掛け部を引っ張ることにより切り欠き穴と耳の位置を調整する。当該調整動作は、耳の上側と上側延在部の内縁部とを位置合わせすることにより行われるため、着用者は下側延在部と比して上側延在部をより強く引っ張ることとなる。このため、上側延在部の構成繊維にあっては、下側延在部と比して繊維同士が近接することにより幅が狭くなる。
すなわち、マスクを着用するにあたっては耳掛け部の収縮に伴う応力が耳の上側により強くかかるため、着用感を向上させるための要請があった。
本発明は、このような点に鑑みて創案されたものであり、着用感を向上するためのマスクに関する一層合理的な構築技術を提供することを目的とする。
【課題を解決するための手段】
【０００５】
上記課題を解決するため、本発明の第１形態に係るマスクは、着用者の少なくとも鼻および口を覆うマスク本体部と、着用者の耳に掛けられるとともに伸長性を備える耳掛け部と、を有する。マスク本体部は、ウィルスや花粉が着用者へ侵入することを抑制したり、着用者がウイルスを飛散させることを防止するためのフィルター機能を有し、不織布などにより構成される。また、耳掛け部は伸長性を有する不織布などにより構成される。
マスクは、マスクが着用者に着用された場合における鼻と口とにより規定される直線を上下方向、マスクが着用者に着用された場合における顔と後頭部とにより規定される直線を前後方向と定義する。上下方向は、マスクが着用者に着用された場合における口から鼻へと向かう方向を上側、鼻から口へと向かう方向を下側と定義する。前後方向は、マスクが着用者に着用された場合における後頭部から顔へと向かう方向を前側、顔から後頭部へと向かう方向を後側と定義する。
【０００６】
耳掛け部は、マスク本体部の上側領域から延在する上側延在部と、マスク本体部の下側領域から延在する下側延在部と、上側延在部と下側延在部とを連結する連結部と、を有する。さらに、耳掛け部は、上側延在部の内縁部と、下側延在部の内縁部と、第１連結部の内縁部と、第２連結部の内縁部とに囲まれた空間により形成される耳掛け空間部を有する。すなわち耳掛け部は、耳掛け空間部を構成するためにマスク本体部の上側と下側に亘り連続された帯状の部材により構成される。なお耳掛け部は、環状に構成することや、略U字状に構成することができる。
上側延在部は、マスクが着用者に着用された場合において耳の上側領域に当接される耳上側当接領域を有し、下側延在部は、マスクが着用者に着用された場合において耳の後側領域に当接される耳後側当接領域を有する。
耳上側当接領域は、耳後側当接領域よりも前後方向における伸長率の低い耳上側低伸長領域を構成する。
【０００７】
また上側延在部の内縁部の延在方向と、上側延在部の外縁部の延在方向は平行となるよう構成される。
【０００８】
このようにすれば、着用者が耳掛け部を引っ張った場合における上側延在部の伸長率を安定化することができる。このため、上側延在部の収縮率を安定化することができるため、マスクを交換した場合であっても安定した着用感を得ることが可能となる。
【０００９】
本発明の第１形態に係るマスクを着用する場合、着用者はまずマスク本体部により口と鼻を被覆し、その後に耳掛け部を引っ張ることにより耳掛け空間部と耳の位置を調整する。当該調整動作は、耳の上側と上側延在部の内縁部とを位置合わせすることにより行われるため、着用者は下側延在部と比して上側延在部をより強く引っ張ることとなる。一方、耳上側当接領域が耳上側低伸長領域を構成しているため、耳上側当接領域の幅が狭くなることを抑制することができる。このため、耳掛け部の収縮に伴う応力が耳の上側により強くかかることが抑制されるため、着用感を向上することが可能となる。
【００１０】
また本発明の第１形態のマスクに係る解決手段の一態様として、耳上側当接領域は、耳上側当接領域の所定点における幅の長さが、耳後側当接領域の所定点における幅の長さよりも長く構成された上側延在部長距離領域を有することができる。
【００１１】
この態様に係るマスクによれば、耳上側当接領域と耳後側当接領域の幅を調整することにより、容易に耳上側低伸長領域を構成することができる。
【００１２】
また本発明の第１形態のマスクに係る解決手段の一態様として、耳後側当接領域は、耳上側当接領域よりも前後方向における伸長率の高い耳後側高伸長領域を構成することができる。
【００１３】
この態様に係るマスクを着用する場合、着用者はまずマスク本体部により口と鼻を被覆し、その後に耳掛け部を引っ張ることにより耳掛け空間部と耳の位置を調整する。当該調整動作は、耳の上側と上側延在部の内縁部とを位置合わせすることにより行われるため、着用者は下側延在部と比して上側延在部をより強く引っ張ることとなる。一方、耳後側当接領域が耳後側高伸長領域を構成しているため、耳後側当接領域の幅が狭くなる。このため耳掛け部の収縮に伴う応力が耳の上側よりも後側により強くかかるが、耳の後側領域は耳の上側領域よりも長いため、耳掛け部の収縮に伴う圧力が耳の後側領域に分散されることとなる。この結果、マスクの着用感を向上することが可能となる。
【００１４】
また本発明の第１形態のマスクに係る解決手段の一態様として、耳後側当接領域は、耳後側当接領域の所定点における幅の長さが、耳上側当接領域における幅の長さよりも短く構成された下側延在部短距離領域を有することができる。
【００１５】
この態様に係るマスクによれば、耳後側当接領域と耳上側当接領域の幅を調整することにより、容易に耳後側高伸長領域を構成することができる。
【００１６】
また本発明の第１形態のマスクに係る解決手段の一態様として、上側延在部は、上側から下側へ臨んだ場合における上側延在部の延在方向と上下方向とが交差することにより形成される角度が、上側から下側へ臨んだ場合における下側延在部の延在方向と上下方向が交差することにより形成される角度よりも大きく構成された上側延在部大角度部を構成することができる。
【００１７】
この態様に係るマスクによれば、上側延在部大角度部により、上側延在部の延在方向を着用者の耳の上側に近接することが可能となる。このため着用者が耳掛け部を引っ張る場合には、下側延在部を上側に移動させるように操作する。すなわち、上側延在部大角度部は、下側延在部の上方移動誘導部を構成する。
なお、下側延在部は、上側から下側へ臨んだ場合における下側延在部の延在方向と上下方向とが交差することにより形成される角度が、上側から下側へ臨んだ場合における上側延在部の延在方向と上下方向が交差することにより形成される角度よりも小さく構成された下側延在部小角度部を構成することができる。これにより、耳後側当接領域の伸長が促進される。
【００１８】
また本発明の第１形態のマスクに係る解決手段の一態様として、下側延在部は、マスク本体部側に位置する下側延在部第１領域と、連結部側に位置する下側延在部第２領域と、を有することができる。当該構成の場合、耳後側当接領域は、下側延在部第２領域に構成することができる。
なおこの態様においては、下側延在部第１領域の幅と、下側延在部第２領域の幅を異ならせることが可能となる。この際、耳後側当接領域が下側延在部第２領域に構成されるため、下側延在部第２領域の幅を下側延在部第１領域の幅よりも狭くすることが好ましい。
【００１９】
また本発明の第１形態のマスクに係る解決手段の一態様として、下側延在部第１領域の内縁部の延在方向と、下側延在部第１領域の外縁部の延在方向は平行となるよう構成することができる。
【００２０】
この態様に係るマスクによれば、着用者が耳掛け部を引っ張った場合における下側延在部第１領域の伸長率を安定化することができる。よって下側延在部第１領域の収縮率を安定化することができるため、マスクを交換した場合であっても安定した着用感を得ることが可能となる。
【００２１】
また本発明の第１形態のマスクに係る解決手段の一態様として、下側延在部第２領域の内縁部の延在方向と、下側延在部第２領域の外縁部の延在方向は平行となるよう構成することができる。
【００２２】
この態様に係るマスクによれば、着用者が耳掛け部を引っ張った場合における下側延在部第２領域の伸長率を安定化することができる。よって下側延在部第２領域の収縮率を安定化することができるため、マスクを交換した場合であっても安定した着用感を得ることが可能となる。
【００２３】
また本発明の第１形態のマスクに係る解決手段の一態様として、下側延在部第１領域の内縁部の延在方向と、下側延在部第１領域の外縁部の延在方向と、下側延在部第２領域の内縁部の延在方向と、下側延在部第２領域の外縁部の延在方向は平行となるよう構成することができる。
【００２４】
この態様に係るマスクによれば、着用者が耳掛け部を引っ張った場合における下側延在部第１領域の伸長率と下側延在部第２領域の伸長率を安定化することができる。よって下側延在部第１領域の収縮率と下側延在部第２領域の収縮率を安定化することができるため、マスクを交換した場合であっても安定した着用感を得ることが可能となる。
【００２５】
また本発明の第１形態のマスクに係る解決手段の一態様として、下側延在部第２領域は、下側延在部第１領域よりも前後方向における伸長率の高い下側延在部第２領域高伸長領域を構成することができる。
【００２６】
この態様に係るマスクによれば、下側延在部第２領域高伸長領域により耳後側当接領域の伸長を促進することが可能となる。なお下側延在部第１領域は、下側延在部第２領域よりも前後方向における伸長率の低い下側延在部第１領域低伸長領域を構成することができる。
【００２７】
また本発明の第１形態のマスクに係る解決手段の一態様として、下側延在部第２領域は、下側延在部第２領域の所定点における幅の長さが、下側延在部第１領域の所定点における幅の長さよりも短く構成された下側延在部第２領域短距離領域を有することができる。
【００２８】
この態様に係るマスクによれば、下側延在部第１領域と下側延在部第２領域の幅を調整することにより、容易に下側延在部第２領域高伸長領域を構成することができる。なお下側延在部第１領域は、下側延在部第１領域の所定点における幅の長さが、下側延在部第２領域の所定点における幅の長さよりも長く構成された下側延在部第１領域長距離領域を有することができる。
【００２９】
また上記課題を解決するため、本発明の第２形態に係るマスクは、着用者の少なくとも鼻および口を覆うマスク本体部と、着用者の耳に掛けられるとともに伸長性を備える耳掛け部と、を有する。
マスクは、マスクが着用者に着用された場合における鼻と口とにより規定される直線を上下方向と定義する。上下方向は、マスクが着用者に着用された場合における口から鼻へと向かう方向を上側、鼻から口へと向かう方向を下側と定義する。
【００３０】
耳掛け部は、マスク本体部の上側領域から延在する上側延在部と、マスク本体部の下側領域から延在する下側延在部と、上側延在部と下側延在部とを連結する連結部と、を有する。さらに、耳掛け部は、上側延在部の内縁部と、下側延在部の内縁部と、連結部の内縁部とに囲まれた空間により形成される耳掛け空間部を有する。
上側延在部は、上側延在部の所定点における幅の長さが、下側延在部の所定点における幅の長さよりも長く構成された上側延在部長距離領域を有する。なお、上側延在部長距離領域は、マスク着用時に着用者の耳の上側に当接する耳上側当接領域に設けられることが好ましい。
また上側延在部の内縁部の延在方向と、上側延在部の外縁部の延在方向は平行となるよう構成される。このようにすれば、着用者が耳掛け部を引っ張った場合における上側延在部の伸長率を安定化することができる。このため、上側延在部の収縮率を安定化することができるため、マスクを交換した場合であっても安定した着用感を得ることが可能となる。
【００３１】
本発明の第２形態に係るマスクを着用する場合、着用者はまずマスク本体部により口と鼻を被覆し、その後に耳掛け部を引っ張ることにより耳掛け空間部と耳の位置を調整する。当該調整動作は、耳の上側と上側延在部の内縁部とを位置合わせすることにより行われるため、着用者は下側延在部と比して上側延在部をより強く引っ張ることとなる。一方、上側延在部が上側延在部長距離領域を有しているため、上側延在部（耳上側当接領域）の幅が狭くなることを抑制することができる。このため、耳掛け部の収縮に伴う応力が耳の上側により強くかかることが抑制されるため、着用感を向上することが可能となる。
【００３２】
また上記課題を解決するため本発明の第３形態に係るマスクは、着用者の少なくとも鼻および口を覆うマスク本体部と、着用者の耳に掛けられるとともに伸長性を備える耳掛け部と、を有する。
マスクは、マスクが着用者に着用された場合における鼻と口とにより規定される直線を上下方向と定義する。上下方向は、マスクが着用者に着用された場合における口から鼻へと向かう方向を上側、鼻から口へと向かう方向を下側と定義する。
【００３３】
耳掛け部は、マスク本体部の上側領域から延在する上側延在部と、マスク本体部の下側領域から延在する下側延在部と、上側延在部と下側延在部とを連結する連結部と、を有する。さらに、耳掛け部は、上側延在部の内縁部と、下側延在部の内縁部と、連結部の内縁部とに囲まれた空間により形成される耳掛け空間部を有する。
下側延在部は、マスク本体部側に位置する下側延在部第１領域と、連結部側に位置する下側延在部第２領域と、を有し、
下側延在部第２領域は、下側延在部第２領域の所定点における幅の長さが、下側延在部第１領域の所定点における幅の長さよりも短く構成された下側延在部短距離領域を有する。
なお、下側延在部短距離領域は、マスク着用時に着用者の耳の後側に当接する耳後側当接領域に設けられることが好ましい。
また上側延在部の内縁部の延在方向と、上側延在部の外縁部の延在方向は平行となるよう構成される。このようにすれば、着用者が耳掛け部を引っ張った場合における上側延在部の伸長率を安定化することができる。このため、上側延在部の収縮率を安定化することができるため、マスクを交換した場合であっても安定した着用感を得ることが可能となる。
【００３４】
本発明の第３形態に係るマスクを着用する場合、着用者はまずマスク本体部により口と鼻を被覆し、その後に耳掛け部を引っ張ることにより耳掛け空間部と耳の位置を調整する。当該調整動作は、耳の上側と上側延在部の内縁部とを位置合わせすることにより行われるため、着用者は下側延在部と比して上側延在部をより強く引っ張ることとなる。一方、下側延在部第２領域が下側延在部短距離領域を有しているため、下側延在部短距離領域（耳後側当接領域）の幅が狭くなる。このため耳掛け部の収縮に伴う応力が耳の上側よりも後側により強くかかるが、耳の後側領域は耳の上側領域よりも長いため、耳掛け部の収縮に伴う圧力が耳の後側領域に分散されることとなる。この結果、マスクの着用感を向上することが可能となる。
【００３５】
また本発明の第１形態〜第３形態のマスクに係る解決手段の一態様として、マスクは、マスクが着用者に着用された場合における左耳と右耳とにより規定される直線を左右方向と定義する。左右方向は、マスクが着用者に着用された場合における右耳から左耳へと向かう方向を左側、左耳から右耳へと向かう方向を右側と定義する。
耳掛け部は、マスク本体部の左側に設けられる左側耳掛け部と、マスク本体部の右側に設けられる右側耳掛け部とにより構成することができる。
【００３６】
また本発明の第１形態〜第３形態のマスクに係る解決手段の一態様として、マスク本体部は、マスクが着用者に着用された場合において、マスク本体部と着用者の口とを離間させるための離間空間部を構成することができる。
【００３７】
この態様に係るマスクによれば、離間空間部により外気よりも高い湿度を保つことができるため、特に風邪などによるのどの痛みを緩和することが可能となる。また、マスク本体部と着用者の唇が当接しないため、口紅がマスク本体部へ転写されることを抑制することができる。なお、当該構成を有するマスクは立体型マスクと称される。
【００３８】
また本発明の第１形態〜第３形態のマスクに係る解決手段の一態様として、マスク本体部は、複数のシート状部材と、複数のシート状部材同士を接合する接合部とを有することができる。当該構成にあっては着用者によって、接合部を中心として複数のシート状部材が展開されることにより、離間空間部を形成することが可能となる。
【００３９】
また本発明の第１形態〜第３形態のマスクに係る解決手段の一態様として、マスク本体部は、シート状部材を上下方向において折り返すことにより構成された襞部を有することができる。襞部は、着用者によって上下方向に展開可能に構成することができる。なお、当該構成を有するマスクはプリーツ型マスクと称される。
【発明の効果】
【００４０】
本発明によれば、マスクの着用感を向上させるための一層合理的な構築技術を提供することが可能となる。
【図面の簡単な説明】
【００４１】
【図１】本発明の第１実施形態に係るマスクの正面図である。
【図２】本発明の第１実施形態に係るマスクの側面図である。
【図３】本発明の第１実施形態に係るマスクの説明図である。
【図４】本発明の第２実施形態に係るマスクの側面図である。
【図５】本発明の第３実施形態に係るマスクの側面図である。
【図６】本発明の第４実施形態に係るマスクの側面図である。
【図７】本発明の第５実施形態に係るマスクの側面図である。
【図８】本発明の第６実施形態に係るマスクの側面図である。
【発明を実施するための形態】
【００４２】
本発明に係る実施形態を図１〜図８に基づき説明する。図１〜図３は本発明に係る第１実施形態を示す図、図４は本発明に係る第２実施形態を示す図、図５は本発明に係る第３実施形態を示す図、図６は本発明に係る第４実施形態を示す図、図７は本発明に係る第５実施形態を示す図、図８は本発明に係る第６実施形態を示す図である。
第２実施形態〜第６実施形態において、第１実施形態と同一または近い構成や機能を奏する部品または構造体は、第１実施形態と同一の部品名称および符号を用いて、その説明を省略する場合がある。
【００４３】
（第１実施形態）
本発明に係る第１実施形態を図１〜図３に基づき説明する。図１は本発明の第１実施形態に係るマスク１００の正面図、図２は側面図を示す。
図１に示すとおりマスク１００は、着用者の少なくとも鼻および口を覆うマスク本体部１１０と、着用者の耳に掛けられるとともに伸長性を備える耳掛け部１３０とを有する。このマスク本体部１１０が本発明に係る「マスク本体部」の一例であり、耳掛け部１３０が本発明に係る「耳掛け部」の一例である。
【００４４】
図１に示すとおりマスク１００は、マスク１００が着用者に着用された場合における鼻と口とにより規定される直線を上下方向１００Ｙと定義する。上下方向１００Ｙは、マスク１００が着用者に着用された場合における口から鼻へと向かう方向を上側、鼻から口へと向かう方向を下側と定義する。なお図２に示すとおりマスク１００は曲面を有する名城であり、着用者の顔面の形状や着用状態において上下方向１００Ｙが変動する場合がある。よって、上下方向１００Ｙはマスク１００の設計上における上下方向１００Ｙにより定義することができる。
また図１に示すとおりマスク１００は、マスク１００が着用者に着用された場合における左耳と右耳とにより規定される直線を左右方向１００Ｘと定義する。左右方向１００Ｘは、マスク１００が着用者に着用された場合における右耳から左耳へと向かう方向を左側、左耳から右耳へと向かう方向を右側と定義する。また図２に示すとおりマスク１００は、マスク１００が着用者に着用された場合における顔と後頭部とにより規定される直線を前後方向１００Ｚと定義する。前後方向１００Ｚは、マスクが着用者に着用された場合における後頭部から顔へと向かう方向を前側、顔から後頭部へと向かう方向を後側と定義する。なお、上下方向１００Ｙと、左右方向１００Ｘと、前後方向１００Ｚはそれぞれ直交する関係にある。この上下方向１００Ｙが本発明に係る「上下方向」の一例であり、左右方向１００Ｘが本発明に係る「左右方向」の一例であり、前後方向１００Ｚが本発明に係る「前後方向」の一例である。
【００４５】
（マスク本体部）
図１に示されるマスク本体部１１０は、ウィルスや花粉が着用者へ侵入することを抑制したり、着用者がウイルスを飛散させることを防止するためのフィルター機能を有する。マスク本体部１１０は、内層シートと、内層シートの両側に積層されている第１表層シートおよび第２表層シートにより構成される積層シートにより形成される。第１表層シートは、マスク着用時に着用者と反対側に配置されるマスク外表面を形成し、第２表層シートは、マスク着用時に着用者側に配置されるマスク内表面を形成する。内層シートは、メルトブロー法により製造されたメルトブロー不織布シートにより形成される。第１表層シートおよび第２表層シートは、スパンボンド法により製造されたスパンボンド不織布シート、ポリプロピレン繊維を含む不織布シート、スパンレース法により製造されたスパンレース不織布シート、エアスルー法により製造されたエアスルー不織布シート等により形成される。内層シート、第１表層シートおよび第２表層シートそれぞれの目付は、５〜５０ｇ／ｍ２の範囲内に設定され、マスク本体部１１０全体の目付は、５０〜１３０ｇ／ｍ２の範囲内に設定される。
【００４６】
図１に示すとおりマスク本体部１１０は、右側本体片１１０Ｒと左側本体片１１０Ｌとにより構成される。図２に示すとおり右側本体片１１０Ｒと左側本体片１１０Ｌは、上下方向１００Ｙに延在する第１接合部１２１により接合される。第１接合部１２１は、右側本体片１１０Ｒと左側本体片１１０Ｌとを溶着することにより形成される。この右側本体片１１０Ｒと左側本体片１１０Ｌが本発明に係る「複数のシート状部材」の一例であり、第１接合部１２１が本発明に係る「接合部」の一例である。なお、マスク本体部１１０はさらに他のシート状部材を接合することにより構成することも可能である。
マスク本体部１１０の上側領域には、着用者の鼻脇に沿うように変形可能な形状固定部１１３が設けられる。形状固定部１１３は、可撓性を有する金属片や樹脂片により構成される。
【００４７】
なおマスク１００の販売時（着用者による使用初期時）には、右側本体片１１０Ｒと左側本体片１１０Ｌとが互いに重ねられる。この状態をマスク本体部１１０が畳まれた状態と称する。着用者がマスク１００を使用する場合は、畳まれた状態の右側本体片１１０Ｒと左側本体片１１０Ｌとを第１接合部１２１を中心として展開する。これによって、マスク本体部１１０は立体形状となる。当該立体形状のマスク本体部１１０を着用者に着用した場合には、マスク本体部１１０と着用者の口との間に空間（離間空間部）が構成される。この離間空間部により、マスク本体部１１０の内部は外気よりも高い湿度を保つことができるため、特に風邪などによるのどの痛みを緩和することが可能となる。また、マスク本体部１１０と着用者の唇が当接しないため、口紅がマスク本体部１１０へ転写されることを抑制することができる。なお、当該構成を有するマスク１００は立体型マスクと称される。
【００４８】
（第２接合部）
図１および図２に示すとおり、マスク本体部１１０と耳掛け部１３０は第２接合部１２２により接合される。第２接合部１２２は、マスク本体部１１０と耳掛け部１３０とを溶着することにより構成される。本実施形態において第２接合部１２２は複数の溶着部が連続することにより構成される。なお第２接合部１２２を連続した単数の溶着部により構成することも可能である。
【００４９】
図２に示すとおり第２接合部１２２は、上側領域１２２１と、下側領域１２２３と、当該上側領域１２２１と下側領域１２２３の間の中央領域１２２２を有する。中央領域１２２２は上下方向１００Ｙに延在する。上側領域１２２１は、下側から上側を臨んだ場合に後側から前側に向かうよう傾斜されて延在する。下側領域は、下側から上側を臨んだ場合に前側から後側に向かうよう傾斜されて延在する。
【００５０】
（耳掛け部）
図１に示すとおり耳掛け部１３０は、伸長性を有するとともに着用者の耳に掛けられることにより、マスク本体部１１０を着用者に固定する機能を有する。
耳掛け部１３０は、マスク本体部１１０を形成するシートより伸長性が高いシートにより形成される。耳掛け部１３０を形成するシートは、伸長性繊維と伸長性繊維を混合して形成される不織布シートが用いられる。本実施の形態では、伸長性を有するポリプロピレン繊維と伸長性を有するウレタン繊維を混合して形成されるスパンボンド不織布シートが用いられている。耳掛け部１３０は、前後方向１００Ｚに伸長可能となるよう設計される。
【００５１】
図１に示すとおり耳掛け部１３０は、マスク本体部１１０の右側に設けられる右側耳掛け部１３０Ｒと、マスク本体部の左側に設けられる左側耳掛け部１３０Ｌとにより構成される。この右側耳掛け部１３０Ｒが本発明に係る「右側耳掛け部」の一例であり、左側耳掛け部１３０Ｌが本発明に係る「左側耳掛け部」の一例である。説明の便宜上、右側耳掛け部１３０Ｒと左側耳掛け部１３０Ｌに関して共通する構成を「耳掛け部の構成」として説明することがある。また図１に示すとおり第２接合部１２２は、マスク本体部１１０の右側領域と右側耳掛け部１３０Ｒとを接合する右側第２接合部１２２Ｒと、マスク本体部１１０の左側領域と左側耳掛け部１３０Ｌとを接合する左側第２接合部１２２Ｌとにより構成される。
【００５２】
図２に示すとおり耳掛け部１３０は、マスク本体部１１０の上側領域から延在する上側延在部１３１と、マスク本体部１１０の下側領域から延在する下側延在部１３２と、マスク本体部１１０に近接して設けられるとともに上側延在部１３１と下側延在部１３２とを連結する第１連結部１３３と、マスク本体部１１０に離間して設けられるとともに上側延在部１３１と下側延在部１３２とを連結する第２連結部１３４とを有する。この上側延在部１３１が本発明に係る「上側延在部」の一例であり、下側延在部１３２が本発明に係る「下側延在部」の一例であり、第２連結部１３４が本発明に係る「連結部」の一例である。
【００５３】
図２に示すとおり、耳掛け部１３０は環状に構成されている。このため、上側延在部１３１は内縁部１３１ａと外縁部１３１ｂとを有し、下側延在部１３２は内縁部１３２ａと外縁部１３２ｂとを有し、第１連結部１３３は内縁部１３３ａと外縁部１３３ｂとを有し、第２連結部１３４は内縁部１３４ａと外縁部１３４ｂとを有する。上側延在部１３１の内縁部１３１ａと、下側延在部１３２の内縁部１３２ａと、第１連結部１３３の内縁部１３３ａと、第２連結部１３４の内縁部１３４ａに囲まれた空間は、マスク着用時に着用者の耳に挿通される耳掛け空間部１３５を形成する。この耳掛け空間部１３５が本発明に係る「耳掛け空間部」の一例である。
【００５４】
（耳当接領域）
図２に示すとおり上側延在部１３１は、マスク１００が着用者に着用された場合において耳の上側領域に当接される耳上側当接領域１３１ｃを有する。また下側延在部１３２は、マスク１００が着用者に着用された場合において耳の後側領域に当接される耳後側当接領域１３２ｃを有する。この耳上側当接領域１３１ｃが本発明に係る「耳上側当接領域」の一例であり、耳後側当接領域１３２ｃが本発明に係る「耳後側当接領域」の一例である。
なお耳掛け部１３０が掛けられる耳の領域は、曲面により構成される複雑な形状であるため、着用者の耳の上側および耳の後側を明確には特定できない状況を想定することができる。このような状況にあっては、耳上側当接領域１３１ｃは上下方向１００Ｙにおける耳の頂部を含む領域であると定義し、耳後側当接領域１３２ｃは前後方向１００Ｚにおける耳の頂部を含む領域であると定義することができる。当該定義にあっては、第２連結部１３４は耳上側当接領域１３１ｃまたは耳後側当接領域１３２ｃの少なくとも一方、または耳上側当接領域１３１ｃと耳後側当接領域１３２ｃの双方を構成することができる。すなわち、上側延在部１３１、第２連結部１３４および下側延在部１３２は耳当接領域を構成する。
【００５５】
図２に示すとおり耳上側当接領域１３１ｃは、耳後側当接領域１３２ｃよりも前後方向１００Ｚにおける伸長率の低い耳上側低伸長領域１３１ｄを構成する。
当該耳上側低伸長領域１３１ｄは、耳上側当接領域１３１ｃが耳上側長距離領域１３１ｅを有することにより構成される。耳上側長距離領域１３１ｅは、耳上側当接領域１３１ｃの所定点１３１ｐにおける幅の長さを、耳後側当接領域１３２ｃの所定点１３２ｐにおける幅の長さよりも長く形成することにより構成される。
この耳上側低伸長領域１３１ｄが本発明に係る「耳上側低伸長領域」の一例であり、耳上側長距離領域１３１ｅが本発明に係る「上側延在部長距離領域」の一例である。
【００５６】
一方、図２に示すとおり耳後側当接領域１３２ｃは、耳上側当接領域１３１ｃよりも前後方向１００Ｚにおける伸長率の高い耳後側高伸長領域１３２ｄを構成する。
当該耳後側高伸長領域１３２ｄは、耳後側当接領域１３２ｃが耳後側短距離領域１３２ｅを有することにより構成される。耳後側短距離領域１３２ｅは、耳後側当接領域１３２ｃの所定点１３２ｐにおける幅の長さを、耳上側当接領域１３１ｃの所定点１３１ｐにおける幅の長さよりも短く形成することにより構成される。なお耳上側長距離領域１３１ｅは、耳後側短距離領域と比して４ｍｍ以上長く構成することが好ましい。
この耳後側高伸長領域１３２ｄが本発明に係る「耳後側高伸長領域」の一例であり、耳後側短距離領域１３２ｅが本発明に係る「下側延在部短距離領域」の一例である。
【００５７】
図２に示すとおり下側延在部１３２は、マスク本体部１１０側に位置する下側延在部第１領域１３２１と、第２連結部１３４側に位置する下側延在部第２領域１３２２とを有する。耳後側当接領域１３２ｃは、下側延在部第２領域１３２２に構成される。この下側延在部第１領域１３２１が本発明に係る「下側延在部第１領域」の一例であり、下側延在部第２領域１３２２が本発明に係る「下側延在部第２領域」の一例である。
【００５８】
図２に示すとおり下側延在部第２領域１３２２は、下側延在部第１領域１３２１よりも前後方向１００Ｚにおける伸長率の高い高伸長領域１３２２ａを構成することができる。この高伸長領域１３２２ａが本発明に係る「下側延在部第２領域高伸長領域」の一例である。高伸長領域１３２２ａにより耳後側当接領域１３２ｃの伸長を促進することが可能となる。なお下側延在部第１領域１３２１は、下側延在部第２領域１３２２よりも前後方向１００Ｚにおける伸長率の低い低伸長領域１３２１ａを構成することができる。
【００５９】
図２に示すとおり下側延在部第２領域１３２２は、下側延在部第２領域１３２２の所定点１３２ｐにおける幅の長さが、下側延在部第１領域１３２１の所定点１３２１ｐにおける幅の長さよりも短く構成された短距離領域１３２２ｂを有することができる。すなわち、下側延在部第２領域１３２２は、上側延在部１３１に対しては耳後側高伸長領域１３２ｄおよび耳後側短距離領域１３２ｅを構成し、下側延在部第１領域１３２１に対しては高伸長領域１３２２ａおよび短距離領域１３２２ｂを構成する。この短距離領域１３２２ｂが本発明に係る「下側延在部第２領域短距離領域」の一例である。
【００６０】
すなわち、下側延在部第１領域１３２１と下側延在部第２領域１３２２の幅を調整することにより、容易に高伸長領域１３２２ａを構成することができる。なお下側延在部第１領域１３２１は、下側延在部第１領域１３２１の所定点１３２１ｐにおける幅の長さが、下側延在部第２領域１３２２の所定点における幅の長さよりも長く構成された長距離領域１３２１ｂを有することができる。
【００６１】
なお耳掛け部１３０の前後方向１００Ｚにおける伸長率を測定したところ、上側延在部１３１の伸長率は５９パーセント、応力は０．６０３（Ｎ）であった。下側延在部第１領域１３２１の伸長率は１６パーセント、応力は０．１３９（Ｎ）であった。下側延在部第２領域１３２２の伸長率は６２パーセント、応力は０．６６８（Ｎ）であった。また、下側延在部１３２の全体的な伸長率は３７パーセント、応力は０．３００であった。
なお、伸長率の測定にあたっては上側延在部１３１を４５．２ｍｍ、下側延在部７２．６ｍｍと設定し、ＪＩＳ  Ｔ８１５１に規定されている試験用人頭のマネキンに装着することにより行った。また、伸長率に対する応力は株式会社島津製作所のオートグラフ  型式ＡＧ−５ｋＮＩにより測定した。この際、当該測定器の設定としてスピードを１００ｍｍ／分、ストロークはそれぞれの計測箇所の伸長率となるまで引っ張ることにより行った。なお応力は２回のサイクルのうち、２回目の戻りの応力により測定した。
【００６２】
図２に示すとおり、上側延在部１３１の内縁部１３１ａと外縁部１３１ｂは互いに平行な方向に延在する。また、下側延在部１３２の内縁部１３２ａと外縁部１３２ｂは互いに平行な方向に延在する。なお下側延在部１３２の内縁部１３２ａは、下側延在部第１領域１３２１の内縁部、下側延在部第２領域１３２２の内縁部、および下側延在部第１領域１３２１と下側延在部第２領域１３２２の連結領域の内縁部と含むものである。ここで「下側延在部１３２の内縁部１３２ａと外縁部１３２ｂは互いに平行な方向に延在する」とは、「下側延在部第１領域１３２１の内縁部、下側延在部第２領域１３２２の内縁部、下側延在部１３２の外縁部１３２ｂが互いに平行に延在する」ことを示す。
【００６３】
図３に示すとおり、上側延在部１３１の延在方向１３１ｆは上下方向１００Ｙと交差する。また、下側延在部１３２の延在方向１３２ｆは上下方向１００Ｙと交差する。上側から下側へ臨んだ場合において、延在方向１３１ｆと上下方向１００Ｙが交差することにより形成される角度１３１ｇと、延在方向１３２ｆと上下方向１００Ｙが交差することにより形成される角度１３２ｇとを比較した場合、角度１３１ｇの方が角度１３２ｇよりも大きくなるように構成される。これにより上側延在部１３１には上側延在部大角度部１３１ｈが構成される。この上側延在部大角度部１３１ｈが本発明に係る「上側延在部大角度部」の一例である。
なお下側延在部１３２には、上側から下側へ臨んだ場合における下側延在部１３２の延在方向１３２ｆと上下方向１００Ｙとが交差することにより形成される角度１３２ｇが、上側から下側へ臨んだ場合における上側延在部１３１の延在方向１３１ｆと上下方向１００Ｙが交差することにより形成される角度１３１ｇよりも小さく構成された下側延在部小角度部１３２ｈが構成される。
【００６４】
図３に示すとおり上側延在部大角度部１３１ｈにより、上側延在部１３１の延在方向１３１ｆ上に位置する耳上側当接領域１３１ｃを着用者の耳の上側に近接することが可能となる。このため着用者が耳掛け部１３０を引っ張る場合には、下側延在部１３２を上側に移動させるように操作する。すなわち上側延在部大角度部１３１ｈは、下側延在部１３２の上方移動誘導部を構成する。これにより、耳後側当接領域１３２ｃの伸長が促進される。
【００６５】
より具体的には上側延在部１３１に関する上述の角度１３１ｇは６３度であり、下側延在部１３２に関する上述の角度は４０度である。
なおＪＩＳ  Ｔ８１５１に規定されている試験用人頭のマネキンにマスク１００を装着した場合、角度１３１ｇは６０度となり角度１３２ｇは６５度となった。すなわち角度１３２ｇの変位量の方が角度１３１ｇよりもが大きいものである。これは耳に耳掛け部１３０を装着した場合において、耳後側当接領域１３２ｃが耳の後側における上側領域から下側領域に亘り配置された状態で、残りの下側延在部１３２の領域が当該耳の後側の下側領域とマスク本体部１１０とに亘り延在されることによる。なおこのような耳後側当接領域１３２ｃの耳に対する配置形態も、耳後側当接領域１３２ｃを伸長する一因とされる。
【００６６】
（ほほ当接領域）
図２に示すとおり第１連結部１３３は、着用者がマスク１００を着用した場合に着用者のほほに当接するほほ当接領域１３３ｃを構成する。ほほ当接領域１３３ｃが着用者のほほに密着することにより、マスク本体部１１０と耳掛け部１３０との間における通気が抑制される。
【００６７】
図２に示すとおり第１連結部１３３は、着用者が第２連結部１３４を把持して耳掛け部１３０を後側に引っ張った場合に、上側延在部１３１と下側延在部１３２に生ずる上下方向１００Ｙへの移動挙動によって第１連結部１３３（ほほ当接領域１３３ｃ）が変形することを抑制するための変形抑制部１３３ｄを有する。なお着用者が第２連結部１３４を引っ張った場合における耳掛け部１３０の具体的な移動挙動としては、上側延在部１３１は下側に向かうように移動し、下側延在部１３２は上側に向かうように移動する。すなわち、上側延在部１３１と下側延在部１３２とは互いに近接する方向に移動する。
【００６８】
変形抑制部１３３ｄは、第１連結部１３３の内縁部１３３ａの形状を調整することにより構成される。変形抑制部１３３ｄは、より具体的には図３に示す通り、第１連結部１３３の内縁部１３３ａにおける延在方向１３３ｆを上下方向１００Ｙと前後方向１００Ｚの双方に交差する方向へ延在することにより構成される。これにより、上側延在部１３１と下側延在部１３２が互いに近接する方向に移動することにより第１連結部１３３に作用する上下方向１００Ｙの力を分散することができる。このため変形抑制部１３３ｄは、第１連結部１３３の変形を抑制することが可能となる。
図２に示すとおり第１実施形態に係る変形抑制部１３３ｄは、下側から上側へ臨んだ場合の第１連結部１３３の内縁部１３３ａが、前側から後側へと向かう方向に延在することにより構成される。これによって、耳掛け空間部１３５の面積を増加させることができるため、着用者は耳掛け空間部１３５に容易に耳を挿通させることが可能となる。また第１実施形態に係る変形抑制部１３３ｄは直線状に構成される。
【００６９】
第１連結部１３３の内縁部１３３ａは、上述の通り上下方向１００Ｙに対して傾斜する方向へ延在している。すなわち第１連結部１３３の内縁部１３３ａは、着用者が第２連結部１３４を把持して耳掛け部１３０を後側に引っ張った場合に生ずる上側延在部１３１と下側延在部１３２とが互いに近接するような移動動作により定義される、上下方向１００Ｙにおける直線を回避するよう構成される。このため内縁部１３３ａによって第１連結部１３３は、変形抑制部１３３ｄと同時に移動方向回避部１３３ｅを構成する。
図２に示すとおり第２接合部１２２を有する領域は、マスク本体部１１０と耳掛け部１３０の連結領域を構成する。なお、当該連結領域は第２接合部１２２の中央領域１２２２を通過する上下方向１００Ｙにより定義することができる。
本発明に係る発明者は、当該連結領域における上下方向１００Ｙの長さが８０ｍｍ〜１２０ｍｍであり、第１連結部１３３の内縁部１３３ａの延在長さが２０〜５０ｍｍである場合には、着用者がマスク１００を着用したときのほほ当接領域１３３ｃ（第１連結部１３３）における上下方向１００Ｙの変形を抑制することを見出した。
【００７０】
（マスクの着用動作について）
着用者がマスク１００を着用する場合、着用者はまずマスク本体部１１０により口と鼻を被覆し、その後に耳掛け部１３０を引っ張ることにより耳掛け空間部１３５と耳の位置を調整する。この際、図３に示される角度１３１ｇの方が角度１３２ｇよりも大きくなるように構成されており、耳掛け部１３０は前後方向１００Ｚに伸長しやすいように構成されているため、上側延在部１３１よりも下側延在部１３２の方が伸長しやすい状態となる。一方、図２に示される耳上側当接領域１３１ｃが耳上側低伸長領域１３１ｄ（耳上側長距離領域１３１ｅ）を構成しているため耳上側当接領域１３１ｃの伸長が抑制されて、耳上側当接領域１３１ｃの幅が狭くなることを抑制することができる。このため、耳掛け部１３０の収縮に伴う応力が耳の上側により強くかかることが抑制されるため、着用感を向上することが可能となる。
【００７１】
また耳後側当接領域１３２ｃが耳後側高伸長領域１３２ｄ（耳後側短距離領域１３２ｅ）を構成しているため耳後側当接領域１３２ｃの伸長が促進されて、耳後側当接領域１３２ｃの幅が狭くなる。このため耳掛け部１３０の収縮に伴う応力が耳の上側よりも後側により強くかかるが、耳の後側領域は耳の上側領域よりも長いため、耳掛け部１３０の収縮に伴う圧力が耳の後側領域に分散されることとなる。この結果、マスクの着用感を向上することが可能となる。さらに耳後側当接領域１３２ｃが伸長することにより、耳掛け空間部１３５の領域が拡大するため、着用者による耳掛け部１３０の耳への装着作業が容易化される。
【００７２】
また上側延在部１３１の内縁部１３１ａの延在方向と外縁部１３１ｂの延在方向が平行であるため、上側延在部１３１の伸長率を安定化することができる。よって上側延在部１３１の収縮率を安定化することができるため、マスク１００を交換した場合であっても安定した着用感を得ることが可能となる。
【００７３】
また下側延在部第１領域１３２１の内縁部の延在方向と外縁部の延在方向が平行であるため、下側延在部第１領域１３２１の伸長率を安定化することができる。よって下側延在部第１領域１３２１の収縮率を安定化することができるため、マスク１００を交換した場合であっても安定した着用感を得ることが可能となる。
【００７４】
また下側延在部第２領域１３２２の内縁部の延在方向と外縁部の延在方向が平行であるため、下側延在部第２領域１３２２の伸長率を安定化することができる。よって下側延在部第２領域１３２２の収縮率を安定化することができるため、マスク１００を交換した場合であっても安定した着用感を得ることが可能となる。
【００７５】
また下側延在部第１領域１３２１の内縁部の延在方向と、下側延在部第１領域１３２１の外縁部の延在方向と、下側延在部第２領域１３２２の内縁部の延在方向と、下側延在部第２領域１３２２の外縁部の延在方向が平行であるため、下側延在部第１領域１３２１の伸長率と下側延在部第２領域１３２２の伸長率を安定化することができる。よって下側延在部第１領域１３２１の収縮率と下側延在部第２領域１３２２の収縮率を安定化することができるため、マスクを交換した場合であっても安定した着用感を得ることが可能となる。
【００７６】
また着用者が耳掛け部１３０を引っ張ることにより上側延在部１３１と下側延在部１３２が互いに近接する方向へと移動するが、変形抑制部１３３ｄ（移動方向回避部１３３ｅ）により第１連結部１３３に作用する上下方向１００Ｙの力を分散することができる。よってほほ当接領域１３３ｃの変形が抑制されるため、ほほ当接領域１３３ｃを着用者に密接させることが可能となる。
【００７７】
また、変形抑制部１３３ｄを下側から上側へ臨んだ場合の第１連結部１３３の内縁部１３３ａが、前側から後側へと向かう方向に延在されているため、第１連結部１３３の面積が増加される。よって着用者に対するほほ当接領域１３３ｃの密着性を向上することが可能となる。
【００７８】
（第２実施形態）
次に図４に基づき本発明の第２実施形態に係るマスク２００を説明する。第２実施形態のマスク２００は、第１実施形態のマスク１００と比して変形抑制部１３３ｄの構成が異なる。すなわち第１実施形態のマスク１００における第１連結部１３３の内縁部１３３ａが直線状であったのに対し、第２実施形態のマスク２００における第１連結部１３３の内縁部１３３ａは前側方向へ延出する曲線状にて構成されている。
【００７９】
当該構成によって、マスク２００は耳掛け空間部１３５の面積の増加を図ることができるため、着用者は耳掛け空間部に容易に耳を挿通させることが可能となる。
また図４に示すとおりマスク２００は、耳上側当接領域１３１ｃに耳上側低伸長領域１３１ｄ、耳上側長距離領域１３１ｅを有する。また耳後側当接領域１３２ｃに耳後側高伸長領域、耳後側短距離領域１３２ｅを有する。またほほ当接領域１３３ｃに変形抑制部１３３ｄ、移動方向回避部１３３ｅを有する。よってマスク２００は耳上側当接領域１３１ｃ、耳後側当接領域１３２ｃおよびほほ当接領域１３３ｃに関して、マスク１００と同等の機能を奏する。
【００８０】
（第３実施形態）
次に図５に基づき本発明の第３実施形態に係るマスク３００を説明する。第３実施形態のマスク３００は、第１実施形態のマスク１００と比して変形抑制部１３３ｄの構成が異なる。すなわち第１実施形態のマスク１００における第１連結部１３３の内縁部１３３ａが直線状であったのに対し、第３実施形態のマスク３００における第１連結部１３３の内縁部１３３ａは後側方向へ延出する曲線状にて構成されている。
【００８１】
当該構成によって、マスク３００は第１連結部１３３の面積の増加を図ることができるため、着用者に対するほほ当接領域１３３ｃの密着性を向上することができる。
また図５に示すとおりマスク３００は、耳上側当接領域１３１ｃに耳上側低伸長領域１３１ｄ、耳上側長距離領域１３１ｅを有する。また耳後側当接領域１３２ｃに耳後側高伸長領域、耳後側短距離領域１３２ｅを有する。またほほ当接領域１３３ｃに変形抑制部１３３ｄ、移動方向回避部１３３ｅを有する。よってマスク３００は耳上側当接領域１３１ｃ、耳後側当接領域１３２ｃおよびほほ当接領域１３３ｃに関して、マスク１００と同等の機能を奏する。
【００８２】
（第４実施形態）
次に図６に基づき本発明の第４実施形態に係るマスク４００を説明する。第４実施形態のマスク４００は、第１実施形態のマスク１００と比して変形抑制部１３３ｄの構成が異なる。すなわち第１実施形態のマスク１００における第１連結部１３３の内縁部１３３ａが直線状であったのに対し、第４実施形態のマスク４００における第１連結部１３３の内縁部１３３ａは連続する曲線を有する形状にて構成されている。
【００８３】
当該構成によって、マスク４００は第１連結部１３３の面積や、耳掛け空間部１３５の面積や、デザイン性を総合的に勘案した設計を行うことが可能となる。
また図６に示すとおりマスク４００は、耳上側当接領域１３１ｃに耳上側低伸長領域１３１ｄ、耳上側長距離領域１３１ｅを有する。また耳後側当接領域１３２ｃに耳後側高伸長領域、耳後側短距離領域１３２ｅを有する。またほほ当接領域１３３ｃに変形抑制部１３３ｄ、移動方向回避部１３３ｅを有する。よってマスク４００は耳上側当接領域１３１ｃ、耳後側当接領域１３２ｃおよびほほ当接領域１３３ｃに関して、マスク１００と同等の機能を奏する。
【００８４】
（第５実施形態）
次に図７に基づき本発明の第５実施形態に係るマスク５００を説明する。第５実施形態のマスク５００は、第１実施形態のマスク１００と比して変形抑制部１３３ｄの構成が異なる。すなわち第１実施形態のマスク１００における第１連結部１３３の内縁部１３３ａを下側から上側へ臨んだ場合、第１連結部１３３の内縁部１３３ａは前側から後側へと向かう方向に延在される。一方、第５実施形態のマスク５００における第１連結部１３３の内縁部１３３ａを下側から上側へ臨んだ場合、第１連結部１３３の内縁部１３３ａは後側から前側へと向かう方向に延在される。
【００８５】
当該構成によって、マスク５００は耳掛け空間部１３５の面積の増加を図ることができるため、着用者は耳掛け空間部に容易に耳を挿通させることが可能となる。
また図７に示すとおりマスク５００は、耳上側当接領域１３１ｃに耳上側低伸長領域１３１ｄ、耳上側長距離領域１３１ｅを有する。また耳後側当接領域１３２ｃに耳後側高伸長領域、耳後側短距離領域１３２ｅを有する。またほほ当接領域１３３ｃに変形抑制部１３３ｄ、移動方向回避部１３３ｅを有する。よってマスク５００は耳上側当接領域１３１ｃ、耳後側当接領域１３２ｃおよびほほ当接領域１３３ｃに関して、マスク１００と同等の機能を奏する。
【００８６】
（第６実施形態）
次に図８に基づき本発明の第６実施形態に係るマスク６００を説明する。第６実施形態のマスク６００は、第１実施形態のマスク１００と比してマスク本体部１１０の構成が異なる。第６実施形態に係るマスク６００のマスク本体部１１０は、シート状部材を上下方向１００Ｙにおいて折り返すことにより構成された襞部１１４を有することができる。襞部１１４は、着用者によって上下方向１００Ｙに展開可能に構成することができる。なお当該襞部１１４を有するマスク６００はプリーツ型マスクと称される。この襞部１１４が本発明に係る「襞部」の一例である。
【００８７】
図８に示すとおりマスク６００は、耳上側当接領域１３１ｃに耳上側低伸長領域１３１ｄ、耳上側長距離領域１３１ｅを有する。また耳後側当接領域１３２ｃに耳後側高伸長領域、耳後側短距離領域１３２ｅを有する。またほほ当接領域１３３ｃに変形抑制部１３３ｄ、移動方向回避部１３３ｅを有する。よってマスク６００は耳上側当接領域１３１ｃ、耳後側当接領域１３２ｃおよびほほ当接領域１３３ｃに関して、マスク１００と同等の機能を奏する。
【００８８】
（実施の形態ないし実施例本発明の各構成要素の対応について）
マスク１００、２００、３００、４００、５００、６００は本発明に係る「マスク」の一例である。上下方向１００Ｙは本発明に係る「上下方向」の一例である。左右方向１００Ｘは本発明に係る「左右方向」の一例である。前後方向１００Ｚは本発明に係る「前後方向」の一例である。マスク本体部１１０は本発明に係る「マスク本体部」の一例である。耳掛け部１３０は本発明に係る「耳掛け部」の一例である。右側本体片１１０Ｒと左側本体片１１０Ｌは本発明に係る「複数のシート状部材」の一例である。第１接合部１２１は本発明に係る「接合部」の一例である。右側耳掛け部１３０Ｒは本発明に係る「右側耳掛け部」の一例である。左側耳掛け部１３０Ｌは本発明に係る「左側耳掛け部」の一例である。上側延在部１３１は本発明に係る「上側延在部」の一例であり、下側延在部１３２は本発明に係る「下側延在部」の一例であり、第２連結部１３４は本発明に係る「連結部」の一例である。耳掛け空間部１３５は本発明に係る「耳掛け空間部」の一例である。耳上側当接領域１３１ｃは本発明に係る「耳上側当接領域」の一例である。耳後側当接領域１３２ｃは本発明に係る「耳後側当接領域」の一例である。耳上側低伸長領域１３１ｄは本発明に係る「耳上側低伸長領域」の一例である。耳上側長距離領域１３１ｅは本発明に係る「上側延在部長距離領域」の一例である。耳後側高伸長領域１３２ｄは本発明に係る「耳後側高伸長領域」の一例である。耳後側短距離領域１３２ｅは本発明に係る「下側延在部短距離領域」の一例である。下側延在部第１領域１３２１は本発明に係る「下側延在部第１領域」の一例である。下側延在部第２領域１３２２は本発明に係る「下側延在部第２領域」の一例である。高伸長領域１３２２ａは本発明に係る「下側延在部第２領域高伸長領域」の一例である。短距離領域１３２２ｂは本発明に係る「下側延在部第２領域短距離領域」の一例である。上側延在部大角度部１３１ｈは本発明に係る「上側延在部大角度部」の一例である。襞部１１４は本発明に係る「襞部」の一例である。
【符号の説明】
【００８９】
１００、２００、３００、４００、５００、６００  マスク
１００Ｘ  左右方向
１００Ｙ  上下方向
１００Ｚ  前後方向
１１０  マスク本体部
１１０Ｒ  右側本体片
１１０Ｌ  左側本体片
１１３  形状固定部
１１４  襞部
１２１  第１接合部
１２２  第２接合部
１２２１  上側領域
１２２２  中央領域
１２２３  下側領域
１２２Ｒ  右側第２接合部
１２２Ｌ  左側第２接合部
１３０  耳掛け部
１３０Ｒ  右側耳掛け部
１３０Ｌ  左側耳掛け部
１３１  上側延在部
１３１ａ  内縁部
１３１ｂ  外縁部
１３１ｃ  耳上側当接領域
１３１ｄ  耳上側低伸長領域
１３１ｅ  耳上側長距離領域（上側延在部長距離領域）
１３１ｆ  延在方向
１３１ｇ  角度
１３１ｈ  上側延在部大角度部
１３１ｐ  所定点
１３２  下側延在部
１３２ａ  内縁部
１３２ｂ  外縁部
１３２ｃ  耳後側当接領域
１３２ｄ  耳後側高伸長領域
１３２ｅ  耳後側短距離領域（下側延在部短距離領域）
１３２ｆ  延在方向
１３２ｇ  角度
１３２ｈ  下側延在部小角度部
１３２ｐ  所定点
１３２１  下側延在部第１領域
１３２１ａ  低伸長領域（下側延在部第１領域低伸長領域）
１３２１ｂ  長距離領域
１３２１ｐ  所定点
１３２２  下側延在部第２領域
１３２２ａ  高伸長領域（下側延在部第２領域高伸長領域）
１３２２ｂ  短距離領域
１３３  第１連結部
１３３ａ  内縁部
１３３ｂ  外縁部
１３３ｃ  ほほ当接領域
１３３ｄ  変形抑制部
１３３ｅ  移動方向回避部
１３３ｆ  延在方向
１３４  第２連結部
１３４ａ  内縁部
１３４ｂ  外縁部
１３５  耳掛け空間部
【図１】
0006700097.tif 000002
【図２】
0006700097.tif 000003
【図３】
0006700097.tif 000004
【図４】
0006700097.tif 000005
【図５】
0006700097.tif 000006
【図６】
0006700097.tif 000007
【図７】
0006700097.tif 000008
【図８】
0006700097.tif 000009